(57)【要約】【課題】  ＨＤＤとＤＶＤドライブを搭載したカメラでは、ＨＤに映像を録画し、その後ＤＶＤにダビングするという使い方ができるが、ダビングに多くの時間を要してしまう。またＤＶＤへダビングしきれないこともある。【解決手段】  外部からの入力情報をＨＤと光ディスクの両方に記録するとき、ＨＤと光ディスクへ間欠記録、または光ディスクへ低速な連続記録で記録する。  さらに、ＨＤと光ディスクの両方に記録時、光ディスクの残量が少なくなった時、ＨＤへの記録は継続し、光ディスクへの記録はどこまで記録したかの位置を保持して停止し、光ディスクを交換後光ディスクへのダビングを停止位置から開始する。また単にダビング時にも、同様に光ディスクへの記録はどこまで記録したかの位置を保持して停止し、光ディスクを交換後光ディスクへのダビングを停止位置から開始する。【選択図】  図１
2008187415.tif 000002
【特許請求の範囲】
【請求項１】
外部からの映像や音声の情報を入力する入力手段と、
前記入力手段で入力された映像音声情報を一時的に保持する第１の一時記憶媒体と第２の一時記憶媒体と、
前記第１の一時記憶媒体からの前記映像音声情報を第１の記録媒体に記録する第１の記録手段と、
前記第２の一時記憶媒体からの前記映像音声情報を第２の記録媒体に記録する第２の記録手段と、
前記入力手段と前記第１の一時記憶媒体と前記第２の一時記憶媒体と前記第１の記録手段と前記第２の記録手段を制御する制御手段とを備え、
前記制御手段は、前記第１の記録媒体へ前記映像音声情報を記録しているときは、前記第２の記録媒体への記録は休止し、
前記第２の記録媒体へ前記映像音声情報を記録しているときは、前記第１の記録媒体への記録は休止し、
前記第１の記録媒体への記録と休止、前記第２の記録媒体への休止と記録を繰り返して前記映像音声情報を記録することを特徴とする映像音声記録再生装置。
【請求項２】
前記第1の記録媒体と前記第２の記録媒体は、種類の異なる記録媒体であることを特徴とする請求項１に記載の映像音声記録再生装置。
【請求項３】
前記第1の記録媒体と前記第２の記録媒体の内、すくなくともひとつは着脱可能な媒体であることを特徴とする請求項１に記載の映像音声記録再生装置。
【請求項４】
第１の電源と第２の電源から電力の供給を受けることができる電源接続手段を備え、
前記制御手段が前記第１の電源の蓄電量を監視し、
前記第１の電源を使用し、前記第１の電源の蓄電量が所定値以下のときに前記第２の電源から電力を供給するようにユーザに知らせる出力手段を有することを特徴とする請求項１に記載の映像音声記録再生装置。
【請求項５】
外部からの映像や音声の情報を入力する入力手段と、
前記入力手段で入力された映像音声情報を一時的に保持する第１の一時記憶媒体と第２の一時記憶媒体と、
前記第１の一時記憶媒体からの前記映像音声情報を第１の記録媒体に記録する第１の記録手段と、
前記第２の一時記憶媒体からの前記映像音声情報を第２の記録媒体に記録する第２の記録手段と、
前記入力手段と前記第１の一時記憶媒体と前記第２の一時記憶媒体と前記第１の記録手段と前記第２の記録手段を制御する制御手段とを備え、
前記制御手段は、前記第１の記録媒体へは記録と休止を繰り返して前記映像音声情報を記録し、前記第２の記録媒体へは記録速度を低速にして連続して前記映像音声情報を記録することを特徴とする映像音声記録再生装置。
【請求項６】
前記第1の記録媒体と前記第２の記録媒体は、種類の異なる記録媒体であることを特徴とする請求項５に記載の映像音声記録再生装置。
【請求項７】
前記第1の記録媒体と前記第２の記録媒体の内、すくなくともひとつは着脱可能な媒体であることを特徴とする請求項５に記載の映像音声記録再生装置。
【請求項８】
第１の電源と第２の電源から電力の供給を受けることができる電源接続手段を備え、
前記制御手段が前記第１の電源の蓄電量を監視し、
前記第１の電源を使用し、前記第１の電源の蓄電量が所定値以下のときに前記第２の電源から電力を供給するようにユーザに知らせる出力手段を有することを特徴とする請求項５に記載の映像音声記録再生装置。
【請求項９】
外部からの映像や音声の情報を入力する入力手段と、
前記入力手段で入力された映像音声情報を一時的に保持する第１の一時記憶媒体と第２の一時記憶媒体と、
前記第１の一時記憶媒体からの前記映像音声情報を第１の記録媒体に記録する第１の記録手段と、
前記第２の一時記憶媒体からの前記映像音声情報を第２の記録媒体に記録する第２の記録手段と、
前記入力手段と前記第１の一時記憶媒体と前記第２の一時記憶媒体と前記第１の記録手段と前記第２の記録手段を制御する制御手段とを備え、
前記制御手段は、前記映像音声情報を前記第１の記録媒体と前記第２の記録媒体に記録を行い、前記第２の記録媒体への記録を中止する時は、前記第２の記録媒体へ前記映像音声情報のどのデータまで記録したかの中止位置を保持して中止し、前記第１の記録媒体へは記録を継続することを特徴とする映像音声記録再生装置。
【請求項１０】
前記制御手段が前記第２の記録媒体の記録可能残量を監視し、
前記第２の記録媒体の記録可能残量が所定値以下のときは前記第１の記録媒体への記録を継続して前記第２の記録媒体への記録を中止することを特徴とする請求項９に記載の映像音声記録再生装置。
【請求項１１】
電源から電力の供給を受けることができる電源接続手段を備え、
前記制御手段が前記電源の蓄電量を監視し、
前記電源の蓄電量が所定値以下のときは前記第１の記録媒体への記録を継続して前記第２の記録媒体への記録を中止することを特徴とする請求項９に記載の映像音声記録再生装置。
【請求項１２】
前記第２の媒体は交換可能な媒体であり、
前記第１の記録媒体に記録されている前記映像音声情報を再生し、前記第２の一時記憶媒体へ格納し、前記第２の一時記憶媒体から前記中止位置以降の情報を交換後の前記第２の記録媒体に引き続き記録することを特徴とする請求項９に記載の映像音声記録再生装置。
【請求項１３】
前記第１の一時記憶媒体が前記入力手段から得た映像音声情報を前記第１の記録媒体に記録するときは第１の平均記録速度で記録を行い、
前記第２の一時記憶媒体が前記第１の記録媒体から得た映像音声情報を前記第２の記録媒体に記録するときは第２の平均記録速度で記録を行い、
前記第２の平均記録速度は前記第１の平均記録速度より速いことを特徴とする請求項１２に記載の映像音声記録再生装置。
【請求項１４】
前記第２の記録媒体へ記録を行うときは、記録と休止を繰り返して記録する、または記録速度を低速にして連続して記録することを特徴とする請求項１２に記載の映像音声記録再生装置。
【請求項１５】
外部からの映像や音声の情報を入力する入力手段と、
前記入力手段で入力された映像音声情報を一時的に保持する第１の一時記憶媒体と、
第２の一時記憶媒体と、
前記第１の一時記憶媒体からの前記映像音声情報を第１の記録媒体に記録する第１の記録手段と、
前記第１の記録媒体からの前記映像音声情報を第２の記録媒体に記録する第２の記録手段と、
前記入力手段と前記第１の一時記憶媒体と前記第２の一時記憶媒体と前記第１の記録手段と前記第２の記録手段を制御する制御手段とを備え、
前記制御手段は、前記第１の記録媒体が保持している情報を再生し、前記第２の一時記憶媒体へ格納し、前記第２の一時記憶媒体から前記第２の記録媒体に記録を行い、前記第２の記録媒体への記録を中止する時は、前記第２の記録媒体へ前記第１の記録媒体が保持している情報のどのデータまで記録したかの中止位置を保持し中止することを特徴ととする映像音声記録再生装置。
【請求項１６】
前記制御手段が前記第２の記録媒体の記録可能残量を監視し、
前記第２の記録媒体の記録可能残量が所定値以下のときは前記第２の記録媒体への記録を中止することを特徴とする請求項１５に記載の映像音声記録再生装置。
【請求項１７】
電源から電力の供給を受けることができる電源接続手段を備え、
前記制御手段が前記電源の蓄電量を監視し、
前記電源の蓄電量が所定値以下のときは前記第２の記録媒体への記録を中止することを特徴とする請求項１５に記載の映像音声記録再生装置。
【請求項１８】
前記第２の媒体は交換可能な媒体であり、
前記第１の記録媒体に記録されている前記映像音声情報を再生し、前記第２の一時記憶媒体へ格納し、前記第２の一時記憶媒体から前記中止位置以降の情報を交換後の前記第２の記録媒体に引き続き記録することを特徴とする請求項１５に記載の映像音声記録再生装置。
【請求項１９】
前記第２の記録媒体へ記録を行うときは、記録と休止を繰り返して記録する、または記録速度を低速にして連続して記録することを特徴とする請求項１８に記載の映像音声記録再生装置。
【請求項２０】
前記第１の一時記憶媒体と第２の一時記憶媒体は一体のメモリであることを特徴とする請求項１、または５、または９、または１５に記載の映像音声記録再生装置。
【発明の詳細な説明】
【技術分野】
【０００１】
本発明は記録媒体に映像音声情報を記録し再生する映像音声記録再生装置に関する。
【背景技術】
【０００２】
ＨＤＤ（Ｈａｒｄ  Ｄｉｓｃ  Ｄｒｉｖｅ）や光ディスクドライブなどのディスクドライブの消費電力を低減させる技術として特許文献１がある。これは情報処理部がＨＤＤの制御状態に応じてＨＤＤの消費電力モードを制御する技術について述べている。
【０００３】
またＨＤＤ／光ディスクドライブのコンビネーションカメラにおける省電力制御として特許文献２がある。これはバッテリで動作する通常記録時ではＨＤＤのみ動作させ光ディスクドライブの動作を停止させる技術について述べている。
【０００４】
ＨＤ（Ｈａｒｄ  Ｄｉｓｃ）と光ディスクへ記録する技術について特許文献３がある。特許文献３の段落（００３４）に「ＨＤＤ２１を記録動作状態にしたまま、図３（ｃ）に示すように、ディスクドライブ２０を記録動作状態に制御する。」、また段落（００４４）に「ＨＤＤ２１を記録停止状態に制御するとともに、図５（ｃ）に示すように、ディスクドライブ２０を記録動作状態に制御する。これにより、・・・光ディスク２０ａにのみ記録されるようになる。」、段落（００４５）に「ＨＤＤ２１を記録動作状態に制御するとともに、図５（ｃ）に示すように、ディスクドライブ２０を記録停止状態に制御する。このため、・・・ハードディスク２１ａにのみ記録されるようになる。」と記載されている。
【０００５】
【特許文献１】特開２００４−２４１０９３
【特許文献２】特開２００６−２８６０３４
【特許文献３】特開２００３−１０１９１５
【発明の開示】
【発明が解決しようとする課題】
【０００６】
近年、ＨＤＤとＤＶＤ（Ｄｉｇｉｔａｌ  Ｖｅｒｓａｔｉｌe  Ｄｉｓｃ）ドライブを搭載したレコーダやカメラが普及してきている。一般的にＨＤは大容量だが交換不可であり、ＤＶＤは小容量だが交換可能である。ＨＤＤでは長時間の記録が可能だが、記録容量に上限があるためＤＶＤなどの光ディスクに情報をダビングする必要がある。
【０００７】
またＨＤＤとＤＶＤドライブを搭載したカメラでは、まずＨＤに映像を録画し、その後その映像をＤＶＤにダビングするという使い方ができる。しかし、この使い方ではダビングのために多くの時間を要してしまう。
【０００８】
またＤＶＤへダビングしきれないこともある。そこで効率のよいダビングを課題とする。
【課題を解決するための手段】
【０００９】
外部からの入力情報を第１の記録媒体と第２の記録媒体の両方に記録するとき、第１の記録媒体と第２の記録媒体へ間欠記録、または第２の記録媒体には低速な連続記録で記録する。
【００１０】
さらに、第１の記録媒体と第２の記録媒体の両方に記録時、第２の記録媒体の残量が少なくなった時、第１の記録媒体への記録は継続し、第２の記録媒体への記録はどこまで記録したかの位置を保持して停止し、第２の記録媒体を交換後第２の記録媒体へのダビングを停止位置から開始する。また単にダビング時にも、同様に第２の記録媒体への記録はどこまで記録したかの位置を保持して停止し、第２の記録媒体を交換後第２の記録媒体へのダビングを停止位置から開始する。
【発明の効果】
【００１１】
映像音声情報を記録するとき、使い勝手を向上し、ユーザの利便性が増す。
【発明を実施するための最良の形態】
【００１２】
以下本発明にかかる映像音声記録再生装置について図面を用いて説明する。
【実施例１】
【００１３】
本発明の映像音声記録再生装置１００の構成図を、カメラを例として図１のＡに示す。
入力手段１０１はレンズやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子、撮像素子で得た電気信号をＨＤや光ディスクの記録形式に合わせてエンコードする信号処理回路を備えている。
【００１４】
第１の一時記憶媒体１０３では入力手段１０１で入力された映像音声情報を一時的に保持する。これにはＲＡＭ（Ｒａｎｄｏｍ  Ａｃｃｅｓｓ  Ｍｅｍｏｒｙ）などのメモリが用いられる。以下、第１の一時記憶媒体をメモリ１０３と表記する。
【００１５】
同様に第２の一時記憶媒体１０４は、入力手段１０１で入力された映像音声情報を一時的に保持し、ＲＡＭなどのメモリが用いられる。以下、第２の一時記憶媒体をメモリ１０４と表記する。
【００１６】
第１の記録手段１０５は、メモリ１０３が保持している映像音声情報を第１の記録媒体１０８に記録する。第１の記録手段１０５には例えばＨＤＤが用いられ、以下、第１の記録手段をＨＤＤ、第１の記録媒体をＨＤと表記する。
【００１７】
第２の記録手段１０６は、メモリ１０４が保持している情報を第２の記録媒体１０９に記録する。第２の記録媒体１０９にはＤＶＤやＢｌｕ−ｒａｙなどの光ディスクが用いられ、以下ここでは例として、第２の記録手段をＤＶＤドライブ、第２の記録媒体をＤＶＤと表記する。
【００１８】
図1では、ＨＤ１０８もＤＶＤ１０９も映像音声記録再生装置１００に対して着脱可能なものとしているが、一方が映像音声記録再生装置１００に内蔵のものであってもよい。
【００１９】
出力手段１０２は情報を出力するために、映像音声情報をデコードする信号処理回路、信号を伝達するためのインターフェース、映像を表示するディスプレイ、音声を出力するスピーカを備えている。
【００２０】
次にメモリ１０３とＨＤＤ１０５の動作例を図２に示す。図２のAとBは記録時の動作を示し、それぞれＡはメモリ１０３のデータ保持量、BはHDD１０５の消費電力を示している。
【００２１】
入力手段１０１からメモリ１０３に映像音声情報が来ると、図２のＡに示すように時刻Ｔ１からＴ２にかけてメモリ１０３のデータ保持量が増加する。その間図２のＢに示すようにＨＤＤ１０５は消費電力を抑え、電力Ｐ１の休止状態にある。休止状態とはＨＤＤが動作するのに必要な学習パラメータ値を保持するための電力、ＬＳＩ（Ｌａｒｇｅ  Ｓｃａｌｅ  Ｉｎｔｅｇｒａｔｉｏｎ）が早く起動するために必要な電力など、最低限の電力で待機することである。磁気ディスクであるHD１０８そのものは回転していても停止していてもよい。
【００２２】
そして図２のＡのようにメモリ１０３のデータ保持量の上限値Ｍ２（時刻Ｔ２）に達すると図２のＢのようにＨＤＤ１０５は記録を開始し、電力Ｐ２を消費している。記録を行うことにより図２のＡのように時刻Ｔ２からＴ３にかけてメモリ１０３のデータ保持量はＭ２からＭ１に減少する。このように、ＨＤＤ１０５は、メモリ１０３のデータ保持量に応じて、記録と休止を繰り返えす。
【００２３】
図２のCとDは再生時の動作を示し、それぞれCはメモリのデータ保持量、DはHD１０８を再生する時のHDD１０５の消費電力を示している。
【００２４】
ＨＤ１０８の保持している情報が再生されると、時刻T７からT８にかけて図２のCにおいてメモリのデータ保持量がM３からM４に増加する。その間は電力P４を消費する。M４に達するとＨＤＤ１０５は再生を停止し休止状態になる。休止状態では電力P３を消費している。その後メモリのデータ保持量がM３にまで減少すると（時刻T９）、ＨＤＤ１０５は再生を再開する。このように、メモリの保持する情報量に応じて、ＨＤＤ１０５は再生と休止を繰り返して動作する。
【００２５】
以上のような記録と休止または再生と休止を繰り返しながら動作することを間欠記録または間欠再生と呼び、総称として間欠動作と呼ぶ。
【００２６】
メモリ１０４とDVDドライブ１０６も同様に間欠動作を行う。
【００２７】
次に、入力手段１０１で入力された映像音声情報をＨＤとＤＶＤに記録する本実施例の特徴について図３を用いて説明する。入力手段１０１で入力された映像音声情報をメモリ１０３とメモリ１０４の両方に格納を開始する（時刻Ｔ０）。図３のＡに示すように、メモリ１０３のデータ保持量がある上限値３０１（時刻Ｔ１）に達するとＨＤＤ１０５は記録を開始する。上限値３０１は最大記憶容量３０３以下の値である。その後メモリ１０３のデータ保持量がある下限値３０２（時刻Ｔ２）に達すると記録を停止する。図３のＢに示すように、このＨＤＤ１０５が記録を行っている間は、ＤＶＤドライブ１０６は記録を休止している（時刻T１〜T２）。
【００２８】
次に図３のＢに示すように、メモリ１０４のデータ保持量が上限値３１１（時刻Ｔ２）に達するとＤＶＤドライブ１０６が記録を開始する。メモリ１０４のデータ保持量が最大記憶容量３１３を超えないように制御手段１０７が制御する。上限値３１１は最大記憶容量３１３以下の値である。そしてメモリ１０４のデータ保持量がある下限値３１２（時刻Ｔ３）に達するとＤＶＤドライブ１０６は記録を停止し、休止状態になる。
【００２９】
その後図３のＡに示すように、メモリ１０３がある上限値３０１（時刻Ｔ４）に達すると記録を開始し、以下同様にＨＤＤ１０５とＤＶＤドライブ１０６は間欠記録を行う。
【００３０】
このように制御手段１０７が制御してＨＤD１０５とＤＶＤドライブ１０６が記録を交互に行うことで、通常のどちらかの記録媒体への記録と同様の電力パワー、消費電力でＨＤ、ＤＶＤへの記録があたかも平行して行える。これにより、ＨＤとＤＶＤに同じ映像音声情報が記録でき、ＨＤ記録後にＤＶＤへダビングコピーする手間が省け、効率のよいダビングができる効果が得られる。
【００３１】
ここではＨＤ１０８への記録を先に開始したが、ＤＶＤ１０９への記録を先に開始してもよい。また、バッテリの電力量にある程度余裕があれば、ＨＤへの記録期間とＤＶＤへの記録期間が重なってもよい。さらに、記録媒体への記録速度を遅くする等制御してＤＶＤへの記録を連続して行ってもよい。
【実施例２】
【００３２】
第１の映像音声情報が記録してあるＨＤに、第２の映像音声情報を記録しながら第１の映像音声情報をＤＶＤにダビングする例について図４を用いて説明する。基本構成は実施例１と同様であり、まず、ＨＤＤ１０５とＤＶＤドライブ１０６が、ともに間欠記録する例を示す。
【００３３】
図４のＡにおいて、入力手段１０１で入力された第２の映像音声情報をメモリ１０３に格納を開始すると（時刻Ｔ０）、メモリ１０３のデータ保持量は上昇する。メモリのデータ保持量のある上限値４０１（時刻Ｔ１）に達すると、ＨＤ１０８への記録を開始する。メモリのデータ保持量がある下限値４０２（時刻Ｔ２）に達すると記録を停止する。
【００３４】
次に図４のＡにおいて、ＨＤ１０８が保持する第１の映像音声情報を再生し、メモリ１０４への格納を開始する（時刻Ｔ２）。メモリ１０４のデータ保持量は増加し、ある上限値４１１（時刻Ｔ３）に達すると、ＨＤ１０８からの再生を停止し、第１の映像音声情報をメモリ１０４からＤＶＤ１０９へ記録を開始する。メモリのデータ保持量がある下限値４１２（時刻Ｔ４）に達すると記録を停止する。
【００３５】
ＨＤＤ１０５が再生や休止期間中でも、メモリ１０３へ入力手段１０１から映像音声情報を格納し、ある上限値４０１（時刻Ｔ４）に達したときにＨＤ１０８に記録を開始する。以下、同様に間欠動作を行う。
【００３６】
なお、ＨＤ１０８の記録終了と再生開始との切替時（時刻Ｔ２、Ｔ５、Ｔ８）、ＨＤ１０８の再生終了とＤＶＤ１０９の記録開始との切替時（時刻Ｔ３、Ｔ６、Ｔ９）、ＤＶＤ１０９の記録終了とＨＤ１０８の記録開始との切替時（Ｔ４、Ｔ７）において、ＨＤＤ１０５とＤＶＤドライブ１０６の両者が休止状態となる期間があってもよい。また、ＨＤＤの記録時と再生時の消費電力は違っていてもよい。実施例１と同様にバッテリ、電力量が十分な容量があればＨＤ１０８への記録期間とＤＶＤ１０９への記録期間が重なってもよく、また、ＨＤ１０８からの再生期間とＤＶＤ１０９への記録期間が重なってもよい。さらに、ＤＶＤ１０９への記録は休止期間を設けずに連続記録を行ってもよい。なお、ダビング終了後は実施例１のようにＨＤ１０８、ＤＶＤ１０９両方への記録にも移れる。
【００３７】
次に、本実施例の他のダビングする例について図５を用いて説明する。ＨＤ１０８への間欠動作は図４と同様であり、ＤＶＤ１０９への記録には連続記録を行う例である。
【００３８】
ＨＤ１０８から第１の映像音声情報をメモリ１０４に格納し（時刻Ｔ２〜Ｔ３）、メモリのデータ保持量がある上限値５１１に達したらＤＶＤ１０９への記録を開始する（時刻Ｔ３）。その後メモリ１０４のデータ保持量はＨＤ１０８からの再生とＤＶＤ１０９への記録に合わせて増減を繰り返すが、上限値５１１と下限値５１２の範囲は超えない。ＤＶＤ１０９への記録は休止期間を設けずに連続記録を行う。
【００３９】
またＤＶＤ１０９への記録の平均記録速度はＨＤ１０８への平均記録速度より速いものとする。そうすれば、早くダビングを終了させることができ、実施例１のようにＨＤ１０８、ＤＶＤ１０９両方への記録にも移れる。
【００４０】
ここで平均記録速度について図１のＢを用いて説明する。図１のBにあるように、入力手段１０１から得た映像音声情報をメモリ１０３に格納し、メモリ１０３からＨＤ１０８に第１の平均記録速度１１３で記録を行う。ＨＤ１０８への記録が停止したときに、ＨＤ１０８にある映像音声情報を再生してメモリ１０４に格納する。メモリ１０４からＤＶＤ１０９へは第２の平均記録速度１１４で記録する。
【００４１】
平均記録速度は、記録量を記録時間と休止時間の和で割ったもので表す。同じ記録時間でも単位時間当たりの記録速度を早くすることにより平均記録速度は速くなる。また同じ単位時間当たりの記録速度でも記録時間を長くすることにより平均記録速度は速くなる。消費電力の観点から考えると前者の方が望ましい。本実施例の特徴は第２の平均記録速度１１４は第１の平均記録速度１１３より速くすることである。なお、第２の平均記録速度１１４は、入力手段１０１で入力された映像音声情報をＨＤ１０８とＤＶＤ１０９の両方へ記録するときのＤＶＤ１０９への第３の平均記録速度１１５より速くてもよい。
【００４２】
次に、ＤＶＤ１０９への記録を中止しＤＶＤを交換する例について図６を用いて説明する。図６のＷは映像音声情報の記録を表し、Ｒは再生を表す。実施例１のＨＤ１０８とＤＶＤ１０９の両方に記録を行いＤＶＤ１０９の例えば容量がいっぱいとなり代わりのＤＶＤへ交換し両方への記録を継続したい場合は、あらたなＤＶＤの交換を開始してからの部分の記録を図４や図５のようなダビングを行い、実施例１のような記録を継続できるようにする。
【００４３】
入力手段１０１で入力された映像音声情報をメモリ１０３とメモリ１０４に格納し、図６のＡとＢに示すように間欠記録を行う。間欠記録の各記録時に番号をつけ、ＨＤ１０８には記録連番６０１、ＤＶＤ１０９には記録連番６１１とする。制御手段１０７は、ＤＶＤ１０９の記録可能残量がある値以下になったときなど記録連番６０１と記録連番６１１がｎの時にＤＶＤ１０９への記録を中止する時は、ＤＶＤ１０９へ映像音声情報のどのデータまで記録したかの中止位置６０２と中止位置６１２を保持して、ＨＤ１０８へは記録は継続する。中止位置を保持するときは、映像音声情報の記録開始からの時間や記録量、記録媒体上のアドレス等の管理情報を保持するものである。
【００４４】
図６のＡに示すように、ＨＤ１０８への記録は間欠記録を継続し、ｎ＋１、ｎ＋２・・・と記録連番６０１は増えていく。一方図６のＢのように、ＤＶＤ１０９への記録は中止し電源を非通電にする。記録連番６１１はｎで終了となる。
【００４５】
図６のＣに示すように、入力手段１０１で入力された映像音声情報をＨＤ１０８に記録連番６２１がｍ−２、ｍ−１、ｍ・・・と間欠記録しているときにおいて、制御手段１０７が間欠記録再生開始位置６２３から再生を開始する。ＨＤ１０８にｍ＋１を記録した直後に再生連番６２２のｎ＋１が再生される。再生された映像音声情報はメモリ１０４に格納され、図６のＤに示すように、間欠記録開始位置６３２を基点として交換後の新たなＤＶＤ１０９に記録される。
【００４６】
この再生連番６２２のｎ＋１以降は、記録連番６０１のｎ＋１以降と同じ映像音声情報である。このように、記録連番６０１のｎ＋１以降に記録された映像音声情報を再生連番６２２のｎ＋１から再生し、記録連番６３１のｎ＋１から順次記録を行う。このとき、記録連番６３１がｎ＋１より小さい番号から記録開始しても、もしくは記録連番６３１がｎ＋１より大きい番号から記録開始してもよい。なお、図６のＣ，Ｄを終了しＨＤ１０８に記録しているものに追いついた時は、実施例１のような入力手段１０１で入力された映像音声情報をＨＤとＤＶＤ両方に記録する動作を継続してもよい。また、ＤＶＤ１０９への記録は間欠記録でなく連続記録でもよい。
【００４７】
上記本実施例の、ＨＤ、ＤＶＤ両方への記録中にＤＶＤの交換を行う例の他に、ＨＤだけに記録中にＨＤからＤＶＤへダビング中に、またはＨＤからＤＶＤへのダビングだけのときに、ＤＶＤへの記録を中止し、上記本実施例同様にＨＤのどこまで再生したか、またはＤＶＤにどこまで記録したかを保持しておけば、ＤＶＤ交換後、中止位置をダビング開始位置として、本実施例を利用すればいわゆるダビング中でもＤＶＤの交換が可能となる。
【実施例３】
【００４８】
第１の電源１１１と第２の電源１１２から電力の供給を受けることができる電源接続手段１１０を備えた映像音声記録再生装置１００の例について図１を用いて説明する。第１の電源１１１はバッテリであり（以下、バッテリ１１１と表記）、第２の電源１１２は外部電源（以下、外部電源１１２と表記）である。制御手段１０７はバッテリと外部電源を監視する。
【００４９】
バッテリ１１１で動作している映像音声記録再生装置１００において、実施例１のＨＤ１０８、ＤＶＤ１０９両方へ記録し、制御手段１０７はバッテリ１１１の蓄電量を監視し、ある値以下になったらバッテリ１１１から外部電源１１２に電源供給を切り替えるよう出力手段１０２でユーザに知らせる。出力手段１０２で表示する例を図７に示す。出力手段１０２のディスプレイは液晶画面等で、アラーム文字７０１などを表示する。
【００５０】
また、バッテリ１１１で動作している映像音声記録再生装置１００において、実施例１のＨＤ１０８、ＤＶＤ１０９両方へ記録し、制御手段１０７はバッテリ１１１の蓄電量を監視し、ある値以下になったらＤＶＤ１０９への記録中止を行う。中止を行ったあとは、ＨＤ１０８へは記録を継続し、ＤＶＤ１０９への記録は停止する。
【００５１】
さらに、バッテリ１１１で動作している映像音声記録再生装置１００において、実施例２のＨＤ１０８からＤＶＤ１０９へダビングを行い、制御手段１０７はバッテリ１１１の蓄電量を監視し、ある値以下になったらＤＶＤ１０６への記録中止を行う。
【００５２】
また、制御手段１０７は、バッテリや外部電源を制御し、実施例１、２における連続記録や、ＨＤＤ１０５とＤＶＤドライブ１０６の間欠記録が重なるなどの記録を実現する。
【００５３】
なお、以上の実施例１〜３において、メモリ１０３とメモリ１０４は一つのメモリで構成してもよい。メモリ１０３とメモリ１０４両方をひとつのメモリ内に設けてもよいし、例えば領域も情報もひとつにしてＨＤ、ＤＶＤのどちらへの情報がどこまで記録したのかのポインタ管理により実施してもよい。
【００５４】
本発明の上述した実施例のよれば、ＨＤとＤＶＤなどの光ディスクの両方に映像音声情報を録画することにより記録終了時には光ディスクへの記録が終わっているので、例えばビデオカメラにおいては一緒に撮影した家族などに着脱可能な光ディスクをその場で渡すことができる。例えばレコーダでは、著作権の設定されていない番組等は必要に応じて上記ビデオカメラ同様ＨＤと光ディスクに記録し、着脱可能な光ディスクをすぐに携帯用の機器等に利用できる。また、ＨＤとＤＶＤへの記録には間欠動作でおこなうことや、連続記録でも例えば低速記録で低レベルの電力で記録動作をおこなうことができる。
【００５５】
また、ＨＤへの録画中にＨＤの保持している情報を光ディスクにダビングを行う際、ＨＤに記録する速度よりダビングの記録速度を速くすることにより、ダビングがＨＤへの記録に次第に追いついていくので、早くダビングが終了する。
【００５６】
このダビングを速くすることにより、例えば光ディスクの記録容量がフルになる、光ディスク残量が少なくなる等で光ディスクへの記録を中止した際も、中止位置を覚えていることにより、光ディスク交換後すぐに停止位置からダビングを開始しＨＤへの録画に追いつくこともできる。ダビングを終了したのちはＨＤとＤＶＤの両方に同じ情報映像信号を記録することもできる。このダビング中のディスク交換は、ＨＤとＤＶＤの両方に同じ情報映像信号を記録中におけるディスク交換でもいいし、通常の単なるダビング中のディスク交換でもよい。
【図面の簡単な説明】
【００５７】
【図１】本発明における映像音声記録再生装置の第１の実施例を示す全体構成図。
【図２】本発明における映像音声記録再生装置の間欠動作を示す動作例図。
【図３】本発明における映像音声記録再生装置の第１の実施例の動作説明図。
【図４】本発明における映像音声記録再生装置の第２の実施例の一動作説明図。
【図５】本発明における映像音声記録再生装置の第２の実施例の一動作説明図。
【図６】本発明における映像音声記録再生装置の第２の実施例の一動作説明図。
【図７】本発明における映像音声記録再生装置の第３の実施例の表示例の図。
【符号の説明】
【００５８】
１００・・・映像音声記録再生装置            １０１・・・入力手段
１０２・・・出力手段      １０３・・・メモリ
１０４・・・メモリ        １０５・・・ＨＤＤ
１０６・・・ＤＶＤドライブ １０７・・・制御手段
１０８・・・ＨＤ           １０９・・・ＤＶＤ
１１０・・・電源接続手段
１１１・・・バッテリ      １１２・・・外部電源
１１３・・・第１の平均記録速度                    １１４・・・第２の平均記録速度
１１５・・・第３の平均記録速度
３０１・・・上限値        ３０２・・・下限値
３１１・・・上限値        ３１２・・・下限値
４０１・・・上限値        ４０２・・・下限値
４１１・・・上限値        ４１２・・・下限値
５１１・・・上限値        ５１２・・・下限値
６０１・・・記録連番      ６０２・・・中止位置
６１１・・・記録連番      ６１２・・・中止位置
６２１・・・記録連番      ６２２・・・再生連番
６２３・・・間欠記録再生開始位置
６３１・・・記録連番      ６３２・・・間欠記録開始位置
７０１・・・アラーム文字
【図１】
2008187415.tif 000003
【図２】
2008187415.tif 000004
【図３】
2008187415.tif 000005
【図４】
2008187415.tif 000006
【図５】
2008187415.tif 000007
【図６】
2008187415.tif 000008
【図７】
2008187415.tif 000009